(57)【要約】【課題】生産コストが上がらず且つどのような形状の表示装置にも使用することが可能な表示装置、および表示装置の位置決め方法の提供を目的とする。【解決手段】表示装置１０の配置面より延設する位置決め部材１２ａ３、１２ａ４の位置決め穴１２ａ５、１２ａ６に、位置決め冶具２０の位置決め片を挿入することにより位置決めを行う。このとき、位置決め部材１２ａ３、１２ａ４は、表示装置１０を安定に配置するための底板１２ｃの係合部１２ｃ１、１２ｃ２と係合する。【選択図】図２
2008134534.tif 000002
【特許請求の範囲】
【請求項１】
組み立てられた表示装置を位置決め冶具にて固定して検査を行う表示装置の位置決め方法において、
上記表示装置は、画面を構成するディスプレイ部より下方に延設する脚部を有するとともに、上記脚部の下面を上記位置決め冶具と位置決めする配置面とする構成であって、
上記脚部は、椀形状の脚部本体部の開口に、上記開口に対して略垂直方向に延設するとともに、位置決め穴を形成する中空形状の位置決め部材と、
上記表示装置を安定して支えるために、上記開口を塞ぐよう配置される底板とを有し、  上記底板は、上記位置決め部材が貫通する穴であって、貫通した上記位置決め部材の外周面と接触して係合する係合部を有し、
上記位置決め冶具は、上記脚部は配置される配置面に、横断面が円形である主基準と、横断面がひし形状である副基準とを形成し、
上記位置決め部材の位置決め穴に上記主基準と副基準とを挿入して上記表示装置を位置決めすることを特徴とする表示装置の位置決め方法。
【請求項２】
組み立てられた表示装置を位置決め冶具にて固定して検査を行う表示装置の位置決め方法において、
上記表示装置は、位置決め穴を形成する中空形状であって、上記位置決め冶具に配置する配置面より延設する位置決め部材と、
上記表示装置を安定に支えるために、同表示装置の配置面に配置される底板とを有し、  上記底板は、上記表示装置に対して同底板が位置決めされるよう、上記位置決め部材と係合する係合部を有し、
上記位置決め冶具は上記位置決め部材の位置決め穴に挿入して上記表示装置を位置決めする位置決め片とを有することを特徴とする表示装置の位置決め方法。
【請求項３】
上記表示装置は、画面を構成するディスプレイ部より下方に延設する脚部を有するとともに、上記脚部の下面を上記位置決め冶具と位置決めする配置面とする構成であって、
上記位置決め部材の位置決め穴は、上記脚部の配置面に対して略垂直に形成されていることを特徴とする請求項２に記載の表示装置の位置決め方法。
【請求項４】
上記脚部は、椀形状の脚部本体部の開口に、上記開口を塞ぐよう上記底板を配置する構成であって、
上記位置決め部材の位置決め穴は、上記開口に対して略垂直方向に形成されるとともに、上記底板の係合部は、上記位置決め部材が貫通する穴であって、上記位置決め片が貫通することにより係合することを特徴とする請求項２または請求項３のいずれか一項に記載の表示装置の位置決め方法。
【請求項５】
上記位置決め片は、主基準と副基準とからなる構成であって、
上記主基準は横断面が円形であって、
上記副基準は横断面がひし形状とすることを特徴とする請求項２〜請求項４のいずれか一項に記載の表示装置の位置決め方法。
【請求項６】
検査を行う際、位置決め冶具を用いて位置決め可能な表示装置において、
位置決め冶具の位置決め片が挿入する位置決め穴を形成する中空形状であって、上記位置決め冶具に配置する配置面より延設する位置決め部材と、
上記表示装置を安定に支えるために、同表示装置の配置面に配置される底板とを有し、  上記底板は、上記表示装置に対して同底板が位置決めされるよう、上記位置決め部材と係合する係合部を有することを特徴とする表示装置。
【請求項７】
当該表示装置は、画面を構成するディスプレイ部より下方に延設する脚部を有するとともに、上記脚部の下面を上記位置決め冶具と位置決めする配置面とする構成であって、
上記位置決め部材の位置決め穴は、上記脚部の配置面に対して略垂直に形成されていることを特徴とする請求項６に記載の表示装置。
【請求項８】
上記脚部は、椀形状の脚部本体部の開口に、上記開口を塞ぐよう上記底板を配置する構成であって、
上記位置決め部材の位置決め穴は、上記開口に対して略垂直方向に形成されるとともに、上記底板の係合部は、上記位置決め部材が貫通する穴であって、上記位置決め片が貫通することにより係合することを特徴とする請求項６または請求項７のいずれか一項に記載の表示装置。
【請求項９】
上記位置決め穴に挿入される位置決め冶具の上記位置決め片は、主基準と副基準とからなる構成であって、
上記主基準は横断面が円形であって、上記副基準は横断面がひし形状とし、
上記位置決め穴は、上記主基準と上記副基準が挿入可能な円形状であることを特徴とする請求項６〜請求項８のいずれか一項に記載の表示装置。
【発明の詳細な説明】
【技術分野】
【０００１】
表示装置の検査を行う検査方法に関し、特に表示装置を所定の位置で位置決めして検査を行う表示装置の位置決め方法に関する
【背景技術】
【０００２】
従来、表示装置の組み立て最終工程では、表示装置の検査工程が組み込まれている。検査工程で行われる検査の一例としては、ホワイトバランス調整、色温度調整、輝度ムラ調整等が挙げられる。図５は、従来の検査工程に流れる表示装置を表す図である。このような検査工程では、表示装置１は、位置決め冶具２にて表示面の向きを固定された状態で搬送装置３に乗せられる。搬送装置３は、位置決め冶具２にて向きを固定された表示装置を検査装置が置かれた位置まで搬送する。搬送装置により搬送された表示装置は、検査装置により上述した各検査項目を検査され出荷準備を施される（例えば、特許文献１参照。）。
【０００３】
上述した位置決め冶具２が、表示装置１を位置決めする方法としては、従来表示装置１の脚部外周を面接触、あるいは四隅と当接することで向きを固定している。具体的には、位置決め冶具の表示装置１が配置される上面には、脚部１ａの外周に沿って開口が形勢されている。このとき、位置決め冶具２の開口に表示装置１の脚部１ａが挿入した際、表示装置１が傷つかないよう、開口は樹脂製の部材を脚部１ａの外周に合わせてくり貫くことで開口を形成している（例えば、特許文献２参照。）。
【０００４】
また、位置決め冶具２が表示装置１を位置決めする方法として、表示装置１の配置面に凹部を形成するとともに、表示装置が配置される側の面に上記凹部に挿入する凸部を形成し、上記凸部と凹部との係合によって表示装置１を位置決めする方法が開示されている（例えば、特許文献３参照。）。
【特許文献１】特開昭６３−２６０２９４
【特許文献２】特開２００６−２１７３５８
【特許文献３】特開２００４−２３０５２３
【発明の開示】
【発明が解決しようとする課題】
【０００５】
上述した特許文献２の発明は、次のような課題があった。つまり、位置決め冶具の開口は、脚部１ａの外周に沿って形勢されている。そのため、表示装置１の脚部１ａの外形が異なれば、位置決め冶具２を脚部１ａの外形に合わせて代える必要がある。また、表示装置１が位置決め冶具と係合した際、傷つかないよう開口を樹脂にて形成した場合では、冶具を使用するごとに、樹脂が脚部１ａの外周面とこすれることで磨耗して変形してしまう場合があった。
【０００６】
また、特許文献３の発明は、次のような課題がった。つまり、表示装置の配置面に形成される凹部は、位置決めのためだけ使用されるため、工場から出荷した後は利用されることはない。そのため、生産コストとして無駄が生じていた。
【０００７】
本発明は、上記課題にかんがみてなされたもので、生産コストの上昇が見込まれず、且つどのような形状の表示装置にも使用することが可能な表示装置、および表示装置の位置決め方法の提供を目的とする。
【課題を解決するための手段】
【０００８】
上記課題を解決するために、本発明の請求項２にかかる発明では、組み立てられた表示装置を位置決め冶具にて固定して検査を行う表示装置の位置決め方法において、
上記表示装置は、位置決め穴を形成する中空形状であって、上記位置決め冶具に配置する配置面より延設する位置決め部材と、上記表示装置を安定に支持するために、同表示装置の配置面に配置される底板とを有し、上記底板は、上記位置決め部材と係合することで、上記表示装置に対して同底板が位置決めされる係合部を有し、上記位置決め冶具は上記位置決め部材の位置決め穴に挿入して上記表示装置を位置決めする位置決め片とを有する構成としてある。
【０００９】
上記のように構成された発明では、位置決め冶具に配置する表示装置の配置面より延設する位置決め部材の位置決め穴に、位置決め冶具の位置決め片を挿入することにより位置決めを行う。このとき、位置決め部材は、表示装置を安定に配置するための底板の係合部と係合する。そのため、検査の際の位置決めに使用されるだけでなく、底板を位置決めするためにも使用されるため、無駄な加工をする必要がなく生産コストを上げる必要がない。また、位置決め冶具と表示装置とは、位置決め部材の位置決め穴に位置決め片を挿入することにより位置決めできるため、表示装置の外形を受ける必要がない。そのため、どのような外形の表示装置にも使用することができる。
【００１０】
また、具体的な位置決めの構成として請求項３に記載の発明では、上記表示装置は、画面を構成するディスプレイ部より下方に延設する脚部を有するとともに、上記脚部の下面を上記位置決め冶具と位置決めする配置面とする構成であって、上記位置決め部材の位置決め穴は、上記脚部の配置面に対して略垂直に形成される構成としてある。
【００１１】
上記のように構成した発明では、位置決め部材の位置決め穴は、脚部の下面に対して垂直方向に形成されている。これにより、脚部を有する表示装置にも同様の効果を得ることができる。
【００１２】
そして、脚部と底板が係合する具体的な方法として、請求項４に記載の発明では、上記脚部は、椀形状の脚部本体部の開口に上記開口を塞ぐよう上記底板を配置する構成であって、上記位置決め部材の位置決め穴は、上記開口に対して略垂直方向に形成されるとともに、上記底板の係合部は、上記位置決め部材が貫通する穴であって、上記位置決め片が貫通することにより係合する構成としてある。
【００１３】
上記のように構成された発明では、位置決め部材の位置決め穴は、底板に形成された貫通穴を貫通することで底板と脚部とを位置決めする。そのため、簡易な構成で確実に底板と表示装置とを位置決めすることができる。
【００１４】
さらに、表示装置の位置決め方法の具体的な一例として請求項５に記載の発明では、上記位置決め片は、主基準と副基準とからなる構成であって、上記主基準は横断面が円形であって、上記副基準は横断面がひし形状とする構成としてある。
【００１５】
上記のように構成された発明では、位置決め片の形状は、位置決めの基準となる主基準と、主基準を基準とした周り止めとして作用する副基準とから構成される。これにより、位置決め片の形状を簡易な形状とするとともに、位置決めを確実に行うことが可能となる。また、抜き差しが容易となるため、検査の際、表示装置を簡単に位置決め冶具から交換することができ、生産工程を止めることがない。
【００１６】
なお、上述した表示装置の位置決め方法を実現する、表示装置単体においても本発明の同様の効果を有する。そのため、請求項６に記載の発明では、検査を行う際、位置決め冶具を用いて位置決め可能な表示装置において、
位置決め冶具の位置決め片が挿入する位置決め穴を形成する中空形状であって、上記位置決め冶具に配置する配置面より延設する位置決め部材と、上記表示装置の安定を支えるために、同表示装置の配置面に配置される底板とを有し、上記底板は、上記表示装置に対して同底板が位置決めされるよう、上記位置決め部材と係合する係合部を有する構成としてある。
【００１７】
さらに、上述した請求項６に係る発明に従属する発明に関しても、上述した請求項２〜請求項５に記載の発明と同等の効果を有することは間違いない。
【００１８】
また、上述した課題を解決するための具体的な構成の一例として請求項１に記載の発明では、組み立てられた表示装置を位置決め冶具にて固定して検査を行う表示装置の位置決め方法において、
上記表示装置は、画面を構成するディスプレイ部より下方に延設する脚部を有するとともに、上記脚部の下面を上記位置決め冶具と位置決めする配置面とする構成であって、上記脚部は、椀形状の脚部本体部の開口に、上記開口に対して略垂直方向に延設するとともに、位置決め穴を形成する中空形状の位置決め部材と、上記表示装置を安定して支えるために、上記開口を塞ぐよう配置される底板とを有し、上記底板は、上記位置決め部材が貫通する穴であって、上記位置決め片が貫通することにより係合する係合部を有し、上記位置決め冶具は、上記脚部は配置される配置面に、横断面が円形である主基準と、横断面がひし形状である副基準とを形成し、上記位置決め部材の位置決め穴に上記主基準と副基準とを挿入して上記表示装置を位置決めすることを特徴とする構成としてある。
【発明の効果】
【００１９】
以上説明したように本発明によれば、生産コストの上昇が見込まれず、且つどのような形状の表示装置にも使用することが可能である。
また請求項３、請求項７にかかる発明によれば、脚部を有する表示装置にも同様の効果を得ることができる。
そして請求項４、請求項８にかかる発明によれば、簡易な構成で確実に底板と表示装置とを位置決めすることができる。
さらに請求項５、請求項９にかかる発明によれば、表示装置を簡単に位置決め冶具から交換することができ、生産工程を止めることがない。
さらに請求項１のような、より具体的な構成において、上述した請求項２〜請求項９の各発明と同様の作用を奏することはいうまでもない。
【発明を実施するための最良の形態】
【００２０】
以下、下記の順序に従って本発明の実施形態を説明する。
（１）実施の形態
（１−１）表示装置の構成
（１−２）脚部の構成
（１−３）位置決め冶具の構成
（１−４）位置決め方法
（２）まとめ
【００２１】
（１）実施の形態
（１−１）表示装置の構成
以下、図１〜図４を参照して、この発明に係る表示装置を具体化した実施の形態について説明する。図１は、位置決め冶具に位置決めされる表示装置を表す構成図である。同図より、表示装置１０は、映像を表示するディスプレイ部１１と、ディスプレイ部１１を支える脚部１２とから構成されている。表示装置１０は、脚部１２の下面に形成された位置決め部材の穴に、位置決め冶具２０の上面に形成された位置決め片を挿入することにより位置決めを行う。以下に各部の具体的な構成を説明する。
【００２２】
ディスプレイ部１１は、映像を表示するためのものである。具体的なディスプレイ部１１の一例としては、液晶ディスプレイ装置や、プラズマディスプレイ装置、さらにはブラウン管型ディスプレイ装置が挙げられる。
【００２３】
（１−２）脚部の構成
図２は、脚部１２を表す斜視図である。脚部１２は、ディスプレイ部１１と接続するとともに、ディスプレイ部１１を安定的に支持するためのものである。そのため、脚部１２は、外観を形成する脚部本体部１２ａと、脚部本体部１２ａから延設するよう形成され、ディスプレイ部１１とネジにて接続する接続部１２ｂと、脚部本体部１２ａの底面に配置され、ディスプレイ部１１が接続された際、安定的にディスプレイ部１１を支持できるよう作用する底板１２ｃとから構成されている。
【００２４】
脚部本体部１２ａは、ディスプレイ部１１を下方より支持するとともに、脚部１２の外観を構成する。本発明の実施の形態に係る脚部本体部１２ａは樹脂にて形成され、底面に脚部本体部の外周形状に相似して開口する開口１２ａ２を有する椀形状である。本発明の実施の形態における脚部本体部１２ａは、上述したように椀形状としているが、これに限定されない。例えば、脚部本体部１２ａの横断面が矩形であっても、ひし形であってもよい。また、上面１２ａ１に前述した接続部１２ｂを形成する。さらに、脚部本体部１２ａは、開口１２ａ２を形成する裏面より、同開口１２ａ２に対して略垂直方向に延設する２つの位置決め部材１２ａ３、１２ａ４とを有している。なお、位置決め部材１２ａ３、１２ａ４は、位置決め穴１２ａ５、１２ａ６を形成する中空形状である。
【００２５】
底板１２ｃは、開口１２ａ２を塞ぐよう、横断面が開口内周と略同形状である一定の厚みを持った板金にて形成されている。底板１２ｃは、脚部本体部１２ａの底面に固定されることで、ディスプレイ部１１を固定した際、脚部１２が安定的にディスプレイ部１１を支えるためのものである。そのため、脚部本体部１２ａを樹脂等の重量の軽い材質で形成した場合、脚部１２のバランサーとなるだけの重さであることが望ましい。
【００２６】
底板１２ｃには、脚部本体部１２ａの開口１２ａ２に挿入された際、位置決め部材１２ａ３、１２ａ４とが貫通する位置に、開口である係合部１２ｃ１、１２ｃ２とを設けていている。係合部１２ｃ１、１２ｃ２の開口は、位置決め部材１２ａ３、１２ａ４の横断面外周の形状と略同等の直径を有する。そのため、脚部本体部１２ａの開口１２ａ２に底板１２ｃが挿入された際、位置決め部材１２ａ３、１２ａ４とが係合部１２ｃ１、１２ｃ２を貫通する。これにより、底板１２ｃは、脚部本体部１２ａに位置決めされる。そのような状態で、底板１２ｃと脚部本体部１２ａとをネジにて固定する。
【００２７】
（１−３）位置決め冶具の構成
図３は、位置決め冶具を表す斜視図である。位置決め冶具２０は、表示装置１０の脚部１２下面を固定して、表示装置１０を位置決めするためのものである。そのため、位置決め冶具２０は、上面２０ａから延設する位置決め片２１を有する構成である。位置決め片２１は、横断面が円形の主基準２１ａと、横断面がひし形の副基準２１ｂとを有する構成である。
【００２８】
主基準２１ａと副基準２１ｂとは、上面２０ａに対して略垂直方向に延設するよう配置されている。主基準２１ａの横断面の直径は、位置決め部材１２ａ３、１２ａ４の位置決め穴１２ａ５、１２ａ６の穴直径より小さい長さである。同様に、副基準２１ｂの横断面の長い方の直径は、位置決め穴１２ａ５、１２ａ６の穴直径よりも小さい長さである。なお、主基準２１ａと副基準２１ｂとの軸心間のピッチは、位置決め部材１２ａ３、１２ａ４の両位置決め穴１２ａ５、１２ａ６の穴の中心のピッチと同一とする。これにより、２本の位置決め片２１が位置決め穴１２ａ５、１２ａ６に干渉することなく挿入することができる。
【００２９】
（１−４）位置決め方法
図４は、脚部１２を位置決め冶具２０に固定する位置決め方法を現す上面図である。同図より、脚部１２の位置決め部材１２ａ３、１２ａ４の位置決め穴１２ａ５、１２ａ６を、位置決め冶具２０の上面２０ａより延設する位置決め片２１に挿入させるよう配置する。このとき、位置決め片２１の副基準２１ｂは、主基準２１ａに対する回り止めとして作用するよう副基準２１ｂを配置する。具体的には、主基準２１ａを回転中心とする表示装置１０を回転させた場合、同回転が阻害するよう副基準２１ｂの対角線の長手方向の辺を配置する。つまり、図より、主基準２１ａを中心とし、主基準２１ａから副基準２１ｂまでの長さを半径とする円弧をイメージする。このとき、ひし形の対角線の長手側が副基準２１ｂの中心からの接線の方向と一致するよう副基準２１ｂを配置する。図では、副基準２１ｂのひし形の対角線の長手側は、ａ−ａ方向に配置される。
【００３０】
これにより、横断面が円形の主基準２１ａにより、脚部１２は位置決めされるとともに、副基準２１ｂにより回転運動を抑制されるため、脚部１２を位置決め冶具２０に位置決めさせることができる。さらに、脚部１２は、位置決め冶具２０の２つの位置決め片２１にて位置決めされているだけなので、位置決めを簡単に行うことができる。同様に、簡単に表示装置１０を位置決め冶具２０から取り外すことが可能であるため、作業者はライン内で作業に時間を掛けることがない。
【００３１】
（２）まとめ
表示装置１０の配置面より延設する位置決め部材１２ａ３、１２ａ４の位置決め穴１２ａ５、１２ａ６に、位置決め冶具２０の位置決め片２１を挿入することにより位置決めを行う。このとき、位置決め部材１２ａ３、１２ａ４は、表示装置１０を安定に配置するための底板１２ｃの係合部１２ｃ１、１２ｃ２と係合する。そのため、位置決め部材１２ａ３、１２ａ４は、検査の際の位置決めに使用されるだけでなく、底板を位置決めするためにも使用されるため、無駄な加工をする必要がなく生産コストを上げる必要がない。また、位置決め冶具２０と表示装置１０とは、位置決め穴１２ａ５、１２ａ６に位置決め片２１を挿入することにより位置決めできるため、表示装置の外形を受ける必要がない。そのため、どのような外形の表示装置にも使用することができる。
【００３２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００３３】
【図１】位置決め冶具に位置決めされる表示装置を表す構成図である。
【図２】脚部を表す斜視図である。
【図３】位置決め冶具を表す斜視図である。
【図４】脚部１２を位置決め冶具２０に固定する位置決め方法を現す上面図である。
【図５】従来の検査工程に流れる表示装置を表す図である。
【符号の説明】
【００３４】
１０…表示装置、１１…ディスプレイ部、１２…脚部、１２ａ…脚部本体部、１２ａ１…上面、１２ａ２…開口、１２ａ３、１２ａ４…位置決め部材、１２ａ５、１２ａ６…位置決め穴、１２ｂ…接続部、１２ｃ…底板、１２ｃ１、１２ｃ２…係合部、２０…位置決め冶具、２０ａ…上面、２１…位置決め片、２１ａ…主基準、２１ｂ…副基準
【図１】
2008134534.tif 000003
【図２】
2008134534.tif 000004
【図３】
2008134534.tif 000005
【図４】
2008134534.tif 000006
【図５】
2008134534.tif 000007